(57)【要約】【課題】ＬＥＤ光源に対する点光り感を防止（又は軽減）することを目的とする。【解決手段】少なくとも１つの導光部を備える車両用灯具において、前記導光部は、三角形のＮ枚（但しＮは３以上の整数）の導光板を組み合わせることで構成されたＮ角錐形状の導光レンズ体であって、その頂点に形成された前記Ｎ枚の導光板それぞれの入光面と、前記Ｎ枚の導光板それぞれの前記入光面とは反対側のＮ個の出射端面により構成されたＮ角環状出射端面と、前記Ｎ角環状出射端面から出射する光を配光制御するために前記Ｎ角環状出射端面に形成された配光制御用カットと、を含むＮ角錐導光レンズ体と、前記入光面からレンズ内部に入射し当該レンズ内部を導光されて前記Ｎ角環状出射端面から制御された光として出射する光を放射する第１ＬＥＤ光源と、を備えていることを特徴とする。【選択図】  図１
2012009356.tif 000002
【特許請求の範囲】
【請求項１】
少なくとも１つの導光部を備える車両用灯具において、
前記導光部は、
三角形のＮ枚（但しＮは３以上の整数）の導光板を組み合わせることで構成されたＮ角錐形状の導光レンズ体であって、その頂点に形成された前記Ｎ枚の導光板それぞれの入光面と、前記Ｎ枚の導光板それぞれの前記入光面とは反対側のＮ個の出射端面により構成されたＮ角環状出射端面と、前記Ｎ角環状出射端面から出射する光を配光制御するために前記Ｎ角環状出射端面に形成された配光制御用カットと、を含むＮ角錐導光レンズ体と、
前記入光面からレンズ内部に入射し当該レンズ内部を導光されて前記Ｎ角環状出射端面から制御された光として出射する光を放射する第１ＬＥＤ光源と、
を備えていることを特徴とする車両用灯具。
【請求項２】
前記導光板をその厚み方向に透過する光を放射する第２ＬＥＤ光源をさらに備えていることを特徴とする請求項１に記載の車両用灯具。
【請求項３】
前記導光板のうち前記第２ＬＥＤ光源からの光が透過する領域には、配光制御用カットが形成されていることを特徴とする請求項２に記載の車両用灯具。
【請求項４】
前記第２ＬＥＤ光源の周囲には、前記第２ＬＥＤ光源から入射する光を反射する追加リフレクタが配置されており、
前記追加リフレクタは、前記第２ＬＥＤ光源から入射する光の反射光が前記導光板をその厚み方向に透過して所定の方向を照射するように構成されていることを特徴とする請求項２に記載の車両用灯具。
【請求項５】
少なくとも１つの主配光部をさらに備えており、
前記主配光部は、
第２ＬＥＤ光源と、
前記第２ＬＥＤ光源から放射される光のうちその光軸に対して狭角方向に放射される光を拡散させて主配光パターンを形成するレンズ体と、
を備えており、
前記主配光部は、前記第２ＬＥＤ光源から放射される光のうちその光軸に対して広角方向に放射される光が前記導光板をその厚み方向に透過するように、前記導光部に隣接して配置されていることを特徴とする請求項１に記載の車両用灯具。
【請求項６】
前記レンズ体は、前記第２ＬＥＤ光源から放射される光のうちその光軸に対して狭角方向に放射される光を拡散させて主配光パターンを形成するＮ角形レンズ部（但しＮは３以上の整数）と、前記Ｎ角形レンズ部と同心、相似形かつ前記Ｎ角形レンズ部よりも大サイズのＮ角形の各辺と前記Ｎ角形レンズ部の各辺との間の環状領域に形成されたＮ角形環状レンズ部と、を含むＮ角形レンズ体であり、
前記第２ＬＥＤ光源の周囲には、その光軸を挟んで対向した状態で第１反射面と第２反射面とが配置されており、
前記第１反射面は、その基端と先端との間に交互に配置された複数の第１個別反射面と複数の第２個別反射面とを含む全体として階段形状の反射面として構成され、かつ、前記第２ＬＥＤ光源からその光軸に対して広角方向に放射される光が入射するように、その基端から先端に向かうにつれ前記光軸から離れるように傾斜した姿勢で配置されており、
前記第２反射面は、その基端から先端に向かうにつれ前記光軸から離れるように傾斜した姿勢で配置されていることを特徴とする請求項５に記載の車両用灯具。
【請求項７】
前記導光板のうち前記第２ＬＥＤ光源からその光軸に対して広角方向に放射される光が透過する領域には、配光制御用カットが形成されていることを特徴とする請求項５又は６に記載の車両用灯具。
【請求項８】
前記第１反射面の先端又はその近傍には、前記第２ＬＥＤ光源からその光軸に対して広角方向に放射される光を反射する追加リフレクタが配置されており、
前記追加リフレクタは、前記第２ＬＥＤ光源からその光軸に対して広角方向に放射される光の反射光が前記導光板をその厚み方向に透過して所定の方向を照射するように構成されていることを特徴とする請求項６に記載の車両用灯具。
【発明の詳細な説明】
【技術分野】
【０００１】
本発明は、車両用灯具に係り、特にＬＥＤ光源に対する点光り感を防止（又は軽減）することが可能な車両用灯具に関する。
【背景技術】
【０００２】
従来、ＬＥＤ光源を用いた車両用灯具の分野においては、図２４（ａ）に示すように、ＬＥＤ光源２１０とこの前方に配置されたレンズ体２２０とを組み合わせた光学系２３０を、図２４（ｂ）に示すように、縦横に複数配置することで構成された車両用灯具２００が知られている（例えば、特許文献１、特許文献２参照）。
【先行技術文献】
【特許文献】
【０００３】
【特許文献１】特開２０００−６７６１０号公報
【特許文献２】実開平２−１３３８０８号公報
【発明の概要】
【発明が解決しようとする課題】
【０００４】
しかしながら、上記構成の車両用灯具２００においては、レンズ体２２０が凸レンズ２２１とその周囲から延びる導光部２２２とを含む構成であるため、外部から凸レンズ２２１を通してＬＥＤ光源２１０が強く点光りしている印象（点光り感）を与えてしまう、という問題がある。
【０００５】
本発明は、このような事情に鑑みてなされたものであり、ＬＥＤ光源に対する点光り感を防止（又は軽減）することを目的とする。
【課題を解決するための手段】
【０００６】
上記課題を解決するため、請求項１に記載の発明は、少なくとも１つの導光部を備える車両用灯具において、前記導光部は、三角形のＮ枚（但しＮは３以上の整数）の導光板を組み合わせることで構成されたＮ角錐形状の導光レンズ体であって、その頂点に形成された前記Ｎ枚の導光板それぞれの入光面と、前記Ｎ枚の導光板それぞれの前記入光面とは反対側のＮ個の出射端面により構成されたＮ角環状出射端面と、前記Ｎ角環状出射端面から出射する光を配光制御するために前記Ｎ角環状出射端面に形成された配光制御用カットと、を含むＮ角錐導光レンズ体と、前記入光面からレンズ内部に入射し当該レンズ内部を導光されて前記Ｎ角環状出射端面から制御された光として出射する光を放射する第１ＬＥＤ光源と、を備えていることを特徴とする。
【０００７】
請求項１に記載の発明によれば、Ｎ角錐形状の導光レンズ体の作用により、第１ＬＥＤ光源から放射される光は導光レンズ体（すなわちＮ枚の導光板）内部を導光されてＮ角環状出射端面から出射し、当該Ｎ角環状出射端面をＮ角環状に発光させるため、第１ＬＥＤ光源の点光り感を防止（又は軽減）することが可能となる。また、請求項１に記載の発明によれば、Ｎ角環状出射端面がＮ角環状に発光する新規発光見栄えの車両用灯具を構成することが可能となる。
【０００８】
また、請求項１に記載の発明によれば、配光制御用カットの作用により、Ｎ角環状出射端面から出射する第１ＬＥＤ光源からの光は狙いの方向に制御されるため、当該狙いの方向の光度が向上したストップランプやテールランプやターンランプ等に適した配光パターンを形成することが可能となる。
【０００９】
請求項２に記載の発明は、請求項１に記載の発明において、前記導光板をその厚み方向に透過する光を放射する第２ＬＥＤ光源をさらに備えていることを特徴とする。
【００１０】
請求項２に記載の発明によれば、導光板の作用により、導光板を透過する第２ＬＥＤ光源からの光は狙いの方向に制御されるため、当該狙いの方向の光度が向上したストップランプやテールランプやターンランプ等に適した配光パターンを形成することが可能となる。
【００１１】
請求項３に記載の発明は、請求項２に記載の発明において、前記導光板のうち前記第２ＬＥＤ光源からの光が透過する領域には、配光制御用カットが形成されていることを特徴とする。
【００１２】
請求項３に記載の発明によれば、配光制御用カットの作用により、導光板を透過する第２ＬＥＤ光源からの光は狙いの方向に制御されるため、当該狙いの方向の光度が向上したストップランプやテールランプやターンランプ等に適した配光パターンを形成することが可能となる。
【００１３】
請求項４に記載の発明は、請求項２に記載の発明において、前記第２ＬＥＤ光源の周囲には、前記第２ＬＥＤ光源から入射する光を反射する追加リフレクタが配置されており、前記追加リフレクタは、前記第２ＬＥＤ光源から入射する光の反射光が前記導光板をその厚み方向に透過して所定の方向を照射するように構成されていることを特徴とする。
【００１４】
請求項４に記載の発明によれば、追加リフレクタの作用により、導光板を透過する第２ＬＥＤ光源からの光は狙いの方向に制御されるため、当該狙いの方向の光度が向上したストップランプやテールランプやターンランプ等に適した配光パターンを形成することが可能となる。
【００１５】
請求項５に記載の発明は、請求項１に記載の発明において、少なくとも１つの主配光部をさらに備えており、前記主配光部は、第２ＬＥＤ光源と、前記第２ＬＥＤ光源から放射される光のうちその光軸に対して狭角方向に放射される光を拡散させて主配光パターンを形成するレンズ体と、を備えており、前記主配光部は、前記第２ＬＥＤ光源から放射される光のうちその光軸に対して広角方向に放射される光が前記導光板をその厚み方向に透過するように、前記導光部に隣接して配置されていることを特徴とする。
【００１６】
請求項５に記載の発明によれば、導光板の作用により、導光板を透過する第２ＬＥＤ光源からの光（主配光パターンの形成に用いられない、光軸に対して広角方向に放射される光）は狙いの方向に制御されるため、当該狙いの方向の光度が向上したストップランプやテールランプやターンランプ等に適した配光パターンを形成することが可能となる。すなわち、請求項５に記載の発明によれば、第２ＬＥＤ光源から放射される光のうち主配光パターンの形成に用いられない光の有効利用が可能となる。
【００１７】
また、請求項５に記載の発明によれば、異なる構成の光学系（主配光部と導光部）を組み合わせた構成であるため、個々の光学系が全て同一構成である従来よりも、灯具全体としての見栄えが単調になるのを防止することが可能となる。
【００１８】
請求項６に記載の発明は、請求項５に記載の発明において、前記レンズ体は、前記第２ＬＥＤ光源から放射される光のうちその光軸に対して狭角方向に放射される光を拡散させて主配光パターンを形成するＮ角形レンズ部（但しＮは３以上の整数）と、前記Ｎ角形レンズ部と同心、相似形かつ前記Ｎ角形レンズ部よりも大サイズのＮ角形の各辺と前記Ｎ角形レンズ部の各辺との間の環状領域に形成されたＮ角形環状レンズ部と、を含むＮ角形レンズ体であり、前記第２ＬＥＤ光源の周囲には、その光軸を挟んで対向した状態で第１反射面と第２反射面とが配置されており、前記第１反射面は、その基端と先端との間に交互に配置された複数の第１個別反射面と複数の第２個別反射面とを含む全体として階段形状の反射面として構成され、かつ、前記第２ＬＥＤ光源からその光軸に対して広角方向に放射される光が入射するように、その基端から先端に向かうにつれ前記光軸から離れるように傾斜した姿勢で配置されており、前記第２反射面は、その基端から先端に向かうにつれ前記光軸から離れるように傾斜した姿勢で配置されていることを特徴とする。
【００１９】
請求項６に記載の発明によれば、複数の第２個別反射面の作用により、第２ＬＥＤ光源の周囲に複数の発光点（第２ＬＥＤ光源の光源像）が配置される新規発光見栄えの車両用灯具を構成することが可能となる。
【００２０】
また、請求項６に記載の発明によれば、複数の第１個別反射面の傾斜角度を個別に調整することで、第２ＬＥＤ光源の周囲にサイズ・形状・位置がランダムな複数の発光点（第２ＬＥＤ光源の光源像）が配置される新規発光見栄えの車両用灯具を構成することが可能となる。
【００２１】
また、請求項６に記載の発明によれば、複数の第１個別反射面の作用により、第２ＬＥＤ光源の周囲に複数の発光点（第２ＬＥＤ光源の光源像）が分散配置される発光見栄え（すなわち、点光りではなく面発光に近い見栄え）となるため、複数の第１個別反射面が無い従来よりも第２ＬＥＤ光源に対する点光り感を緩和することが可能となる。
【００２２】
請求項７に記載の発明は、請求項５又は６に記載の発明において、前記導光板のうち前記第２ＬＥＤ光源からその光軸に対して広角方向に放射される光が透過する領域には、配光制御用カットが形成されていることを特徴とする。
【００２３】
請求項７に記載の発明によれば、配光制御用カットの作用により、導光板を透過する第２ＬＥＤ光源からの光（主配光パターンの形成に用いられない、光軸に対して広角方向に放射される光）は狙いの方向に制御されるため、当該狙いの方向の光度が向上したストップランプやテールランプやターンランプ等に適した配光パターンを形成することが可能となる。すなわち、請求項７に記載の発明によれば、第２ＬＥＤ光源から放射される光のうち主配光パターンの形成に用いられない光の有効利用が可能となる。
【００２４】
請求項８に記載の発明は、請求項６に記載の発明において、前記第１反射面の先端又はその近傍には、前記第２ＬＥＤ光源からその光軸に対して広角方向に放射される光を反射する追加リフレクタが配置されており、前記追加リフレクタは、前記第２ＬＥＤ光源からその光軸に対して広角方向に放射される光の反射光が前記導光板をその厚み方向に透過して所定の方向を照射するように構成されていることを特徴とする。
【００２５】
請求項８に記載の発明によれば、追加リフレクタの作用により、導光板を透過する第２ＬＥＤ光源からの光（主配光パターンの形成に用いられない、光軸に対して広角方向に放射される光）は狙いの方向に制御されるため、当該狙いの方向の光度が向上したストップランプやテールランプやターンランプ等に適した配光パターンを形成することが可能となる。すなわち、請求項８に記載の発明によれば、第２ＬＥＤ光源から放射される光のうち主配光パターンの形成に用いられない光の有効利用が可能となる。
【発明の効果】
【００２６】
本発明によれば、ＬＥＤ光源に対する点光り感を防止（又は軽減）することが可能となる。
【図面の簡単な説明】
【００２７】
【図１】（ａ）本発明の実施形態である車両用灯具１００の上面図、（ｂ）正面図、（ｃ）側面図である。
【図２】図１（ｂ）中の一部を拡大した図である。
【図３】ハウジング１０の斜視図である。
【図４】図１に示した車両用灯具１００のＡ−Ａ断面図である。
【図５】図１に示した車両用灯具１００のＢ−Ｂ断面図である。
【図６】第２ＬＥＤ光源１１、第１ＬＥＤ光源１２の配置を説明するための図である。
【図７】（ａ）逆三角形レンズ体２１の範囲を表す正面図、（ｂ）逆三角形レンズ部２１ａの範囲を表す正面図、（ｃ）三角形環状レンズ部２１ｂの範囲を表す正面図、（ｄ）つなぎ面２１ｃの範囲を表す正面図である。
【図８】ＬＥＤ光源１１と周囲の第１反射面１３、第２反射面１４等との関係を説明するための正面図である。
【図９】主配光部Ａにより形成される主配光パターンＰ１の例である。
【図１０】図１に示した車両用灯具１００のＣ−Ｃ断面図である。
【図１１】図１に示した車両用灯具１００のＤ−Ｄ断面図である。
【図１２】インナーレンズ２０をＬＥＤ光源１２側からみた斜視図である。
【図１３】導光部Ｂにより形成される付加配光パターンＰ２の例である。
【図１４】配光制御用カット２２ｆの例である。
【図１５】主配光部Ａにより形成された主配光パターンＰ１と導光部Ｂにより形成された付加配光パターンＰ２とを合成した合成配光パターンＰ０の例である。
【図１６】図１５に示した合成配光パターンが、規格（ＥＣＥ）が定めた各測定ポイントと各測定ポイントにおける実測光度を表す図である。
【図１７】（ａ）導光部Ｂでの点光り感を緩和するための構成例１、（ｂ）導光部Ｂでの点光り感を緩和するための構成例２である。
【図１８】図２に示す配置の主配光部Ａ、導光部ＢのＡ−Ａ断面図である。
【図１９】図２に示す配置の主配光部Ａ、導光部ＢのＡ−Ａ断面図（変形例）である。
【図２０】図２に示す配置の主配光部Ａ、導光部ＢのＡ−Ａ断面図（変形例）である。
【図２１】変形例を説明するための図である。
【図２２】変形例を説明するための図である。
【図２３】変形例を説明するための図である。
【図２４】従来の車両用灯具２００の構成を説明するための図である。
【図２５】（ａ）図２に示す配置の主配光部Ａ、導光部ＢのＡ−Ａ断面図（追加リフレクタ１３ｅを用いた変形例）、（ｂ）図２に示す配置の主配光部Ａ、導光部ＢのＡ−Ａ断面図（配光制御用カット２２ｈを用いた変形例）である。
【図２６】（ａ）追加リフレクタ１３ｅ及び配光制御用カット２２ｈを用いない場合に形成される配光パターンの例、（ｂ）図２５（ａ）に示した変形例（追加リフレクタ１３ｅを用いた変形例）により形成される配光パターンの例、（ｃ）図２５（ｂ）に示した変形例（配光制御用カット２２ｈを用いた変形例）により形成される配光パターンの例である。
【図２７】図２６（ａ）、図２６（ｂ）、図２６（ｃ）それぞれの配光パターン中の各測定ポイントにおける測定値をまとめた表である。
【図２８】図２に示す配置の主配光部Ａ、導光部ＢのＡ−Ａ断面図（追加リフレクタ１３ｅを用いた変形例）である。
【発明を実施するための形態】
【００２８】
以下、本発明の実施形態である車両用灯具について図面を参照しながら説明する。
【００２９】
本実施形態の車両用灯具１００は、自動車等の車両のストップランプやテールランプ等に適用されるものであり、図１（ａ）〜（ｃ）に示すように、ハウジング１０とインナーレンズ２０とを組み合わせることで構成された複数の主配光部Ａ及び複数の導光部Ｂを備えている。なお、図４、図５、図１０、図１１に示すように、アウターレンズ３０を備えていてもよい。
【００３０】
［主配光部Ａ］
図２〜図５に示すように、主配光部Ａは、第２ＬＥＤ光源１１、第２ＬＥＤ光源１１の前方に配置された逆三角形レンズ体２１、第２ＬＥＤ光源１１の周囲にその光軸ＡＸ１を挟んで対向させた状態で配置された第１反射面１３及び第２反射面１４等を備えている。
【００３１】
[第２ＬＥＤ光源１１]
図３、図６に示すように、ハウジング１０には、複数の第２ＬＥＤ光源１１が上下左右に格子状に配置されている。第２ＬＥＤ光源１１としては、例えば、複数の発光チップ（例えば、赤色、黄色、白色の他、青色等）であり、第２ＬＥＤ光源１１から出る光を白色光とする場合には、青色の発光チップが実装された光源パッケージ上に当該青色の発光チップの発光波長で励起されて発光する蛍光体（例えば、黄色）が塗布又は固着されたＬＥＤ光源を用いることが可能である。
【００３２】
[逆三角形レンズ体２１]
逆三角形レンズ体２１は、正面視で逆三角形状のレンズ（図７（ａ）中の黒塗り範囲参照）であり、中央の逆三角形レンズ部２１ａ（図７（ｂ）中の黒塗り範囲参照）と、その外側の三角形環状レンズ部２１ｂ（図７（ｃ）中の黒塗り範囲参照）と、逆三角形レンズ部２１ａと三角形環状レンズ部２１ｂとをつなぐつなぎ面２１ｃ（図７（ｄ）中の黒塗り範囲参照）と、を含んでいる。逆三角形レンズ体２１は、インナーレンズ２０に一体的に形成されている。なお、逆三角形レンズ部２１ａは、主配光パターンを形成するのに充分な光束を確保するために、三角形環状レンズ部２１ｂよりもＬＥＤ光源１１寄りに配置されている（図４参照）。
【００３３】
[逆三角形レンズ部２１ａ]
逆三角形レンズ部２１ａは、第２ＬＥＤ光源１１から放射された光のうちその光軸ＡＸ１に対して狭角方向に放射される光を拡散させてストップランプ用の（又はテールランプ用の）主配光パターンを形成する正面視で逆三角形状のレンズ部である（図７（ｂ）参照）。逆三角形レンズ部２１ａは、インナーレンズ２０がハウジング１０に組み付けられた状態で、第２ＬＥＤ光源１１の前方に配置される（図４参照）。
【００３４】
逆三角形レンズ部２１ａは、第２ＬＥＤ光源１１から入射する光を拡散しストップランプ用の（又はテールランプ用の）主配光パターンを形成するために、第２ＬＥＤ光源１１側のレンズ面に補正用カットが施されており、その反対側のレンズ面に拡散用カットが施されている。これらのカットとしては例えば、フレネルカット、その他のカットを用いることが可能である。
【００３５】
図２に示すように、逆三角形レンズ部２１ａは、点光り緩和の観点からは、例えば、中心の三角形レンズ部２１ａ１と、その周囲の三つの逆三角形レンズ部２１ａ２〜２１ａ４と、を含むレンズを用いるのが望ましい（図１（ｂ）等参照）。
【００３６】
このようにすれば、中心の三角形レンズ部２１ａ１及びその周囲の三つの逆三角形レンズ部２１ａ２〜２１ａ４それぞれに第２ＬＥＤ光源１１の像１１Ａが分散配置された見栄え（すなわち、点光りではなく面発光に近い見栄え）となるため（図８参照）、第２ＬＥＤ光源１１に対する点光り感を緩和することが可能となる。
【００３７】
第２ＬＥＤ光源１１から放射された光のうちその光軸ＡＸ１に対して狭角方向に放射された光は、逆三角形レンズ部２１ａを透過し、ストップランプ用の（又はテールランプ用の）主配光パターン（図９参照）を形成する。これとともに、逆三角レンズ部２１ａが発光する。
【００３８】
［三角形環状レンズ部２１ｂ］
図２、図７（ｃ）に示すように、三角形環状レンズ部２１ｂは、逆三角形レンズ部２１ａと同心、相似形かつ逆三角形レンズ部２１ａよりも大サイズの三角形Ｔの各辺と三角形レンズ部２１ａの各辺との間の環状領域に形成された正面視で三角環状のレンズ部である。三角形環状レンズ部２１ｂは、複数の第１個別反射面１３ａに写り込んだ複数の第２ＬＥＤ光源１１の光源像及び第２反射面１４に写り込んだ第２ＬＥＤ光源１１の光源像が外部から視認されるように、いわゆる素通しのレンズとして構成されている。
【００３９】
［第１反射面１３］
図３に示すように、第２ＬＥＤ光源１１の周囲には、３つの第１反射面１３が周方向に等間隔で配置されている。
【００４０】
第１反射面１３は、その基端１３ｃと先端１３ｄとの間に交互に配置された複数の第１個別反射面１３ａと複数の第２個別反射面１３ｂとを含む全体として階段形状の反射面として構成されている（図３参照）。第１反射面１３は、第２ＬＥＤ光源１１から放射された光のうちその光軸ＡＸ１に対して広角方向に放射される光が入射するように、その基端１３ｃから先端１３ｄに向かうにつれ光軸ＡＸ１から離れるように傾斜した姿勢で配置されている（図４、図５参照）。
【００４１】
第１個別反射面１３ａは、第２ＬＥＤ光源１１の光源像１１Ｂが写り込み（図８参照）、当該写り込んだ光源像１１Ｂが三角形環状レンズ部２１ｂを通して外部から視認されるように個別に角度調整されている。
【００４２】
第２個別反射面１３ｂは、第２ＬＥＤ光源１１から入射する光を、三角錐導光レンズ体２２（又は三角環状発光部２２ｅ）に向けて反射するように個別に角度調整されている。この第２個別反射面１３ｂの作用により、三角錐導光レンズ体２２（又は三角環状発光部２２ｅ）をより明るく発光させることが可能となる。
【００４３】
［追加リフレクタ］
図２５（ａ）、図２８に示すように、第１反射面１３の先端又はその近傍には、第２ＬＥＤ光源１１からその光軸ＡＸ１に対して広角方向に放射される光Ｒａｙ１を反射する追加リフレクタ１３ｅが配置されていてもよい。追加リフレクタ１３ｅは、第２ＬＥＤ光源１１からその光軸ＡＸ１に対して広角方向に放射される光の反射光Ｒａｙ１が導光板２２ｃをその厚み方向に透過して所定の方向（図２５（ａ）、図２８中４５°方向を例示）を照射するように構成されている。
【００４４】
例えば、第１反射面１３の先端に配置された第１個別反射面１３ａ（又は第２個別反射面１３ｂ）の全体を追加リフレクタ１３ｅで置き換えてもよいし、あるいは、第１反射面１３の先端に配置された第１個別反射面１３ａ（又は第２個別反射面１３ｂ）の一部に追加リフレクタ１３ｅを配置してもよい。
【００４５】
この追加リフレクタ１３ｅの作用により、導光板２２ｃを透過する第２ＬＥＤ光源１１からの光（主配光パターンの形成に用いられない、光軸ＡＸ１に対して広角方向に放射される光Ｒａｙ１）は狙いの方向（図２５（ａ）、図２８中４５°方向を例示）に制御されるため、追加リフレクタ１３ｅを用いない場合（図２６（ａ）、図２７中「現状」の「測定値」欄参照）と比べ、当該狙いの方向の光度が向上したストップランプやテールランプやターンランプ等に適した配光パターン（例えば、欧州配光規格を満たすストップランプやテールランプやターンランプ等に適した配光パターン。図２６（ｂ）、図２７中「REF追加」の「測定値」欄参照）を形成することが可能となる。すなわち、第２ＬＥＤ光源１１から放射される光のうち主配光パターンの形成に用いられない光Ｒａｙ１の有効利用が可能となる。
【００４６】
追加リフレクタ１３ｅとしては、平面鏡、放物面鏡、楕円鏡その他形状の反射鏡を用いることが可能である。
【００４７】
例えば、追加リフレクタ１３ｃは、車両用灯具１００が照射する所望の角度に応じて、第２ＬＥＤ光源１１側に向けて回転させたものとなっている。例えば、図２５（ａ）、図２８に示すように、第２ＬＥＤ光源１１より照射された光Ｒａｙ１を光軸ＡＸ１に対して４５°方向に反射させるには、追加リフレクタ１３ｅを第２ＬＥＤ光源１１側に４５°回転させればよい。これにより、三角錐導光レンズ体２２より出射するものとなり、図２６（ｂ）、図２７に示すように、左右４５°方向に強い光を出すものとなり、欧州配光規格を満たす配光パターン(ストップランプやテールランプやターンランプ等に適した配光パターン)が形成されるものとなる。このように追加リフレクタ１３ｅを第２ＬＥＤ光源１１側に回転させる角度については、照射したい角度に応じた角度にすればよく、好ましくは３０°〜８０°の範囲で形成される。また、追加リフレクタ１３ｅの表面形状については、車両用灯具１００が照射したい角度と同様の角度だけ第２ＬＥＤ光源１１側に回転させればよく、平面あるいは、放物面、楕円面形状やその他の形状であっても良い。
【００４８】
第１個別反射面１３ａ、第２個別反射面１３ｂとしては、例えば、ハウジング１０に対してアルミ蒸着等の鏡面処理を施すことで形成される平面鏡、その他曲面形状の反射面を用いることが可能である。
【００４９】
［第２反射面１４］
図３に示すように、第２ＬＥＤ光源１１の周囲かつ各第１反射面１３の間には、３つの第２反射面１４が周方向に等間隔で配置されている。
【００５０】
第２反射面１４は、第２ＬＥＤ光源１１の光源像が写り込む反射面であり、その基端１４ａから先端１４ｂに向かうにつれ光軸ＡＸ１から離れるように傾斜した姿勢で配置されている（図４参照）。
【００５１】
第２反射面１４は、第２ＬＥＤ光源１１の光源像１１Ｃが写り込み（図８参照）、当該写り込んだ光源像１１Ｃが三角形環状レンズ部２１ｂを通して外部から視認されるように角度調整されている。
【００５２】
本実施形態では、図８に示すように、第２ＬＥＤ光源１１の周囲には３つの第１個別反射面１３ａを含む合計３つの第１反射面１３及び３つの第２反射面１４が配置されているため、第２ＬＥＤ光源１１の周囲には合計１２個の複数の発光点（第２ＬＥＤ光源１１の光源像１１Ｂ、１１Ｃ）が分散配置される。
【００５３】
上記構成の主配光部Ａによれば、三角形レンズ部２１ａ及び三角形環状レンズ部２１ｂから照射される光により、ストップランプやテールランプに適した主配光パターンＰ１（図９参照）を形成することが可能となる。
【００５４】
また、上記構成の主配光部Ａによれば、複数の第１個別反射面１３ａ及び第２反射面１４の作用により、第１ＬＥＤ光源１２の周囲に複数の発光点（第２ＬＥＤ光源１１の光源像１１Ｂ、１１Ｃ。図８参照）が配置される新規発光見栄えの車両用灯具１００を構成することが可能となる。
【００５５】
また、上記構成の主配光部Ａによれば、複数の第１個別反射面１３ａの傾斜角度を個別に調整することで、第１ＬＥＤ光源１２の周囲にサイズ・形状・位置がランダムな複数の発光点（第２ＬＥＤ光源１１の光源像１１Ｂ。図８参照）が配置される新規発光見栄えの車両用灯具１００を構成することが可能となる。
【００５６】
また、上記構成の主配光部Ａによれば、複数の第１個別反射面１３ａ及び第２反射面１４の作用により、第２ＬＥＤ光源１１の周囲に複数の発光点（第２ＬＥＤ光源１１の光源像１１Ｂ、１１Ｃ。図８参照）が分散配置される発光見栄え（すなわち、点光りではなく面発光に近い見栄え）となるため、複数の第１個別反射面１３ａが無い従来よりも第２ＬＥＤ光源１１に対する点光り感を緩和することが可能となる。
【００５７】
また、上記構成の主配光部Ａによれば、複数の第１個別反射面１３ａそれぞれの間には、単なるつなぎの面ではなく配光制御用の複数の第２個別反射面１３ｂが配置されているため、当該第２個別反射面１３ｂが配置されていない場合よりも、光利用効率を向上させることが可能となる。
【００５８】
［導光部Ｂ］
図２、図１０、図１１に示すように、導光部Ｂは、第１ＬＥＤ光源１２、第１ＬＥＤ光源１２の前方に配置された三角錐形状の三角錐導光レンズ体２２等を備えている。
【００５９】
［第１ＬＥＤ光源１２］
図３、図６に示すように、ハウジング１０には、複数の第１ＬＥＤ光源１２が上下左右に格子状に配置されている。第１ＬＥＤ光源１２としては、例えば、複数の発光チップ（例えば、赤色、黄色、白色の他、青色等）であり、第２ＬＥＤ光源１１から出る光を白色光とする場合には、青色の発光チップが実装された光源パッケージ上に当該青色の発光チップの発光波長で励起されて発光する蛍光体（例えば、黄色）が塗布又は固着されたＬＥＤ光源を用いることが可能である。
【００６０】
［三角錐導光レンズ体２２］
図１２に示すように、三角錐導光レンズ体２２は、三角形の三枚の導光板２２ａ〜２２ｃを組み合わせることで構成された三角錐形状の導光レンズ体であって、その頂点に形成された各導光板２２ａ〜２２ｃそれぞれの入光面２２ｄと、三枚の導光板２２ａ〜２２ｃそれぞれの入光面２２ｄとは反対側の３つの出射端面２２ａ１〜２２ｃ１（図２参照）により構成された三角環状発光部２２ｅと、３つの出射端面２２ａ１〜２２ｃ１から出射する光を配光制御するために３つの出射端面２２ａ１〜２２ｃ１に形成された配光制御用カット２２ｆと、を含んでいる。三角錐導光レンズ体２２は、インナーレンズ２０に一体的に形成されている。
【００６１】
入光面２２ｄとしては、例えば、当該入光面２２ｄから入射したＬＥＤ光源１２からの光を基準軸ＡＸ０に対して平行な光線に変換する球面形状の凹レンズ面を用いることが可能である。
【００６２】
配光制御用カット２２ｆとしては、例えば、３つの出射端面２２ａ１〜２２ｃ１から出射する光が主配光パターンＰ１に重畳される付加配光パターンＰ２（図１３参照）を形成するように配光制御するカット（図１４参照）であり、詳細にはカット２１ｆの傾斜面及び高さを変えることにより光の屈折角度を可変させて狙い方向に配光制御させるカットを用いることが可能である。このようにすれば、より明るい主配光パターンＰ１を形成することが可能となる。
【００６３】
三角錐導光レンズ体２２は、入光面２２ｄが第１ＬＥＤ光源１２の前方に配置され（図１０参照）、かつ、三角環状発光部２２ｅの一辺が三角形レンズ体２１の一辺を縁取った状態で配置されている（図１（ｂ）、図２等参照）。
【００６４】
第１ＬＥＤ光源１２から放射された光のうちその光軸ＡＸ２に対して狭角方向に放射された光は、入光面２２ｄａから入射し各導光板２２ａ〜２２ｃの表面と裏面との間で全反射を繰り返して導光され、３つの出射端面２２ａ１〜２２ｃ１から出射する。
【００６５】
これにより、３つの出射端面２２ａ１〜２２ｃ１が発光する。すなわち、３つの出射端面２２ａ１〜２２ｃ１は、三角環状発光部２２ｅとして機能する。また、３つの出射端面２２ａ１〜２２ｃ１から出射する光は、配光制御用カット２２ｆの作用により配光制御され、主配光パターンＰ１に重畳される付加配光パターン（図１３参照）を形成する。
【００６６】
図１５は、主配光部Ａにより形成された主配光パターンＰ１と導光部Ｂにより形成された付加配光パターンＰ２とを合成した合成配光パターンＰ０の例である。図１６は、図１５に示した合成配光パターンが、規格（ＥＣＥ）が定めた各測定ポイントと各測定ポイントにおける実測光度（図１６中括弧内が規格値）を表している。図１６を参照すると、図１５に示した合成配光パターンＰ０が、規格（ＥＣＥ）が定めた各測定ポイントにおいて要求する光度を満たしていることが分かる。
【００６７】
なお、各導光板２２ａ〜２２ｃの表面（ＬＥＤ光源１２側とは反対側の面）のうちＬＥＤ光源１２寄りの領域に、光軸ＡＸ２に対して約４５°傾斜した傾斜面２２ｇ（カット面等）を配置するのが望ましい（図１７（ａ）、図１７（ｂ）参照）。図１７（ａ）は、導光板２２ｃにのみ傾斜面２２ｇを配置した例であり、図１７ｂは、各導光板２２ａ〜２２ｃそれぞれに傾斜面２２ｇを配置した例である。
【００６８】
このようにすれば、入光面２２ｄから入射したＬＥＤ光源１２からの光は、傾斜面２２ｇの作用により、三角錐形状の三角錐導光レンズ体２２の頂点付近から外部に漏れることがほとんどなく各導光板２２ａ〜２２ｃへ導光されるため、傾斜面２２ｇを設けない場合と比べ、第１ＬＥＤ光源１２に対する点光り感を緩和することが可能となる。また、光利用効率を向上させることが可能となる。
【００６９】
以上説明したように、上記構成の導光部Ｂによれば、三角錐形状の導光レンズ体２２の作用により、第１ＬＥＤ光源１２から放射される光は導光レンズ体２２（すなわち３枚の導光板２２ａ〜２２ｃ）内部を導光されて三角環状出射端面２２ａ１〜２２ｃ１から出射し、当該三角環状出射端面２２ａ１〜２２ｃ１を三角環状に発光させるため、第１ＬＥＤ光源１２の点光り感を防止（又は軽減）することが可能となる。また、上記構成の導光部Ｂによれば、三角環状出射端面２２ａ１〜２２ｃ１が三角環状に発光する新規発光見栄えの車両用灯具１００を構成することが可能となる。
【００７０】
また、上記構成の導光部Ｂによれば、配光制御用カット２２ｆの作用により、三角環状出射端面２２ａ１〜２２ｃ１から出射する第１ＬＥＤ光源１２からの光は狙いの方向に制御されるため、当該狙いの方向の光度が向上したストップランプやテールランプやターンランプ等に適した配光パターンを形成することが可能となる。
【００７１】
[主配光部Ａ、導光部Ｂの配置]
図１（ａ）は、インナーレンズ２０を、複数の右斜めライン、左斜めライン及び水平ラインによって複数の逆三角形領域、及び三角形領域に区画し、個々の逆三角形領域に主配光部Ａ（逆三角形レンズ体２１）を形成し、個々の三角形領域に導光部Ｂ（三角環状発光部２２ｅ）を形成した例である。
【００７２】
この配置によれば、三角環状発光部２２ｅの一辺が三角形レンズ体２１の一辺を縁取る新規発光見栄えの車両用灯具１００を構成することが可能となる（図１（ｂ）参照）。
【００７３】
また、複数の三角領域（又は複数の逆三角領域）に形成される複数の導光部Ｂそれぞれの三角環状発光部２２ｅの作用により形成され、個々の主配光部Ａ（逆三角形レンズ体２１）を縁取る全体として複数の右斜め発光ライン、複数の左斜め発光ライン及び複数の水平発光ラインを含む新規発光見栄えの車両用灯具１００を構成することが可能となる（図１（ａ）参照）。
【００７４】
また、異なる構成の光学系（複数の三角形レンズ体２１、複数の三角環状発光部２２ｅ）を上下左右に交互に組み合わせた配置となるため（図１（ｂ）参照）、個々の光学系が全て同一構成である従来よりも、灯具全体としての見栄えが単調になるのを防止することが可能となる。
【００７５】
図１８は、図２に示す配置の主配光部Ａ、導光部ＢのＡ−Ａ断面図である。
【００７６】
図１８に示すように、主配光部Ａは、第２ＬＥＤ光源１１から放射される光のうちその光軸ＡＸ１に対して広角方向に放射される光Ｒａｙ１（及び第２反射面１４で反射された光Ｒａｙ２）が導光板２２ａ〜２２ｃをその厚み方向に透過するように、導光部Ｂに隣接して配置されている。
【００７７】
図１８に示す配置によれば、導光板２２ｃの作用により、導光板２２ｃを透過する第２ＬＥＤ光源１１からの光（主配光パターンの形成に用いられない、光軸ＡＸ１に対して広角方向に放射される光Ｒａｙ１及び第２反射面１４で反射された光Ｒａｙ２）は狙いの方向（例えば左右３０〜４５°方向）に制御されるため、欧州配光規格を満たす配光パターン（ストップランプやテールランプやターンランプ等に適した配光パターン）を形成することが可能となる。すなわち、図１８に示す配置によれば、第２ＬＥＤ光源１１から放射される光のうち主配光パターンの形成に用いられない光Ｒａｙ１、Ｒａｙ２の有効利用が可能となる。
【００７８】
図１９、図２５（ｂ）に示すように、導光板２２ａ〜２２ｃのうち第２ＬＥＤ光源１１からその光軸ＡＸ１に対して広角方向に放射される光Ｒａｙ１（及び第２反射面１４で反射された光Ｒａｙ２）が透過する領域（例えば、導光板２２ａ〜２２ｃの外側面）には、配光制御用カット２２ｈが形成されていてもよい。配光制御用カット２２ｈは、第２ＬＥＤ光源１１からその光軸ＡＸ１に対して広角方向に放射される光の反射光Ｒａｙ１が当該配光制御用カット２２ｈを屈折透過して所定の方向（図１９、図２５（ｂ）中４５°方向を例示）を照射するように構成されている。
【００７９】
この配光制御用カット２２ｈの作用により、例えば、導光板２２ｃを透過する第２ＬＥＤ光源１１からの光（主配光パターンの形成に用いられない、光軸ＡＸ１に対して広角方向に放射される光Ｒａｙ１）は狙いの方向（例えば左右３０〜４５°方向。図２５（ｂ）中４５°を例示）に制御されるため、配向制御用カット２２ｈを用いない場合（図２６（ａ）、図２７中「現状」の「測定値」欄参照）と比べ、当該狙いの方向の光度が向上したストップランプやテールランプやターンランプ等に適した配光パターン（例えば、欧州配光規格を満たすストップランプやテールランプやターンランプ等に適した配光パターン。図２６（ｃ）、図２７中「カット追加」の「測定値」欄参照）を形成することが可能となる。すなわち、第２ＬＥＤ光源１１から放射される光のうち主配光パターンの形成に用いられない光Ｒａｙ１の有効利用が可能となる。
【００８０】
図２０に示すように、第２反射面１４としては、第２ＬＥＤ光源１１から入射する光を配光制御用カット２２ｇに向けて反射する面、例えば、焦点が第２ＬＥＤ光源１１近傍に設定された放物鏡を用いて、第２ＬＥＤ光源１１から入射する光を配光制御用カット２２ｇに集光させるのが望ましい。このようにすれば、より多くの光を狙いの方向（例えば左右方向）に制御することが可能となる。
【００８１】
次に変形例について説明する。
【００８２】
上記実施形態では、第１個別反射面１３ａは、第２ＬＥＤ光源１１の光源像１１Ｂが写り込み（図８参照）、当該写り込んだ光源像１１Ｂが三角形環状レンズ部２１ｂを通して外部から視認されるように個別に角度調整されているように説明したが、本発明はこれに限定されない。
【００８３】
例えば、第１個別反射面１３ａは、第２ＬＥＤ光源１１から入射する光（第２ＬＥＤ光源１１の光源像）を、光軸ＡＸ１を挟んで対向する第２反射面１４に向けて反射するように個別に角度調整されていてもよい。
【００８４】
このようにすれば、第１個別反射面１３ａ及び第２反射面１４の作用により（すなわち二回反射により）、第２ＬＥＤ光源１１の周囲に三角形環状レンズ部２１ｂ等を通して外部から視認することが可能な複数の発光点（複数の第１個別反射面１３ａで反射し第２反射面１４に写り込んだ複数の第２ＬＥＤ光源１１の光源像）が配置される新規発光見栄え（図示せず）の車両用灯具を構成することが可能となる。
【００８５】
また、上記実施形態では、第２反射面１４は、第２ＬＥＤ光源１１の光源像１１Ｃが写り込み（図８参照）、当該写り込んだ光源像１１Ｃが三角形環状レンズ部２１ｂを通して外部から視認されるように角度調整されているように説明したが、本発明はこれに限定されない。
【００８６】
例えば、第２反射面１４は、複数の第１個別反射面１３ａから入射する反射光（複数の第２ＬＥＤ光源１１の光源像）が写り込み、当該写り込んだ複数の光源像が三角形環状レンズ部２１ｂを通して外部から視認されるように角度調整されていてもよい。
【００８７】
このようにすれば、第２反射面１４に写り込んだ第２ＬＥＤ光源１１の複数の光源像が三角形環状レンズ部２１ｂを通して外部から視認される新規な発光見栄えの車両用灯具１００を構成することが可能となる。
【００８８】
また、上記実施形態では、図１（ｂ）に示すように、三角形レンズ体２１、三角形レンズ部２１ａ、三角形環状レンズ部２１ｂ、三角形の３枚の導光板２２ａ〜２２ｃを組み合わせることで構成された三角錐導光レンズ体２２（三角形環上発光部２２ｅを含む）を用いて車両用灯具１００を構成した例について説明したが、本発明はこれに限定されない。
【００８９】
例えば、図２１に示すように、四角形レンズ体２１´、四角形レンズ部２１ａ´、四角形環状レンズ部２１ｂ´、三角形の４枚の導光板を組み合わせることで構成された四角錐導光レンズ体２２´（四角形環上発光部２２ｅ´を含む）を用いて車両用灯具１００を構成することが可能である。
【００９０】
また、図２２に示すように、六角形レンズ体２１´、六角形レンズ部２１ａ´、六角形環状レンズ部２１ｂ´、三角形の６枚の導光板を組み合わせることで構成された六角錐導光レンズ体２２´（六角形環上発光部２２ｅ´を含む）を用いて車両用灯具１００を構成することが可能である。
【００９１】
すなわち、本発明によれば、Ｎ角形レンズ体（但しＮは３以上の整数）、Ｎ角形レンズ部ａ、Ｎ角形環状レンズ部、三角形のＮ枚の導光板を組み合わせることで構成されたＮ角錐導光レンズ体（Ｎ角形環上発光部を含む）を用いて車両用灯具１００を構成することが可能である。
【００９２】
また、上記実施形態では、主配光部Ａ、導光部Ｂをほぼ同一サイズに構成した例について説明したが（図１（ｂ）、図２１、図２２参照）、本発明はこれに限定されない。例えば、図２３に示すように、個々の主配光部Ａ、導光部Ｂを異なるサイズで構成することも可能である。
【００９３】
上記実施形態はあらゆる点で単なる例示にすぎない。これらの記載によって本発明は限定的に解釈されるものではない。本発明はその精神または主要な特徴から逸脱することなく他の様々な形で実施することができる。
【符号の説明】
【００９４】
１００…車両用灯具、１０…ハウジング、１１…第１ＬＥＤ光源、１２…第２ＬＥＤ光源、１３…第１反射面、１３ａ…第１個別反射面、１３ｂ…第２個別反射面、１４…第２反射面、２０…インナーレンズ、２１…逆三角形レンズ体、２１ａ…逆三角形レンズ部、２１ｂ…三角形環状レンズ部、２１ｃ…つなぎ面、２２…三角錐導光レンズ体、２２ａ〜２２ｃ…導光板、２２ｄ…入光面、２２ｅ…三角環状発光部、２２ｆ…配光制御用カット、２２ｈ…配光制御用カット
【図１】
2012009356.tif 000003
【図２】
2012009356.tif 000004
【図３】
2012009356.tif 000005
【図４】
2012009356.tif 000006
【図５】
2012009356.tif 000007
【図６】
2012009356.tif 000008
【図７】
2012009356.tif 000009
【図８】
2012009356.tif 000010
【図９】
2012009356.tif 000011
【図１０】
2012009356.tif 000012
【図１１】
2012009356.tif 000013
【図１２】
2012009356.tif 000014
【図１３】
2012009356.tif 000015
【図１４】
2012009356.tif 000016
【図１５】
2012009356.tif 000017
【図１６】
2012009356.tif 000018
【図１７】
2012009356.tif 000019
【図１８】
2012009356.tif 000020
【図１９】
2012009356.tif 000021
【図２０】
2012009356.tif 000022
【図２１】
2012009356.tif 000023
【図２２】
2012009356.tif 000024
【図２３】
2012009356.tif 000025
【図２４】
2012009356.tif 000026
【図２５】
2012009356.tif 000027
【図２７】
2012009356.tif 000028
【図２８】
2012009356.tif 000029
【図２６】
2012009356.tif 000030